(57)【要約】【課題】  ディスプレイのディスプレイパラメータ調整方法の提供。【解決手段】  （Ａ）初期化、（Ｂ）工場ＯＳＤインタフェースを呼び出すかを判断し、不成立であれば（Ｄ）のステップを実行する、（Ｃ）工場設定パラメータを調整し、並びにこの方法の実行を終了する、（Ｄ）ユーザーＯＳＤインタフェースを呼び出してユーザー設定パラメータを調整する、以上の（Ａ）から（Ｄ）のステップを具え、そのうち、ディスプレイパラータは工場設定パラメータとユーザー設定パラメータを包含する。【選択図】        図２
2006030943.tif 000002
【特許請求の範囲】
【請求項１】
ディスプレイのディスプレイパラメータ調整方法において、
（Ａ）初期化。
（Ｂ）工場ＯＳＤインタフェースを呼び出すかを判断し、不成立であれば（Ｄ）のステップを実行する。
（Ｃ）工場設定パラメータを調整し、並びにこの方法の実行を終了する。
（Ｄ）ユーザーＯＳＤインタフェースを呼び出してユーザー設定パラメータを調整する。
以上の（Ａ）から（Ｄ）のステップを具え、そのうち、ディスプレイパラメータは工場設定パラメータとユーザー設定パラメータを包含することを特徴とする、ディスプレイのディスプレイパラメータ調整方法。
【請求項２】
ディスプレイのディスプレイパラメータ調整方法において、
（Ａ）初期化。
（Ｂ）ユーザーＯＳＤインタフェースを呼び出す。
（Ｃ）工場ＯＳＤインタフェースを呼び出すかを判断し、不成立であれば（Ｅ）のステップを実行する。
（Ｄ）工場設定パラメータを調整し、並びにこの方法の実行を終了する。
（Ｅ）ユーザーＯＳＤインタフェースを調整する。
以上の（Ａ）から（Ｅ）のステップを具え、そのうち、ディスプレイパラメータは工場設定パラメータとユーザー設定パラメータを包含することを特徴とする、ディスプレイのディスプレイパラメータ調整方法。
【発明の詳細な説明】
【技術分野】
【０００１】
本発明は一種のディスプレイのディスプレイパラメータ調整方法に関する。
【背景技術】
【０００２】
図１に示されるように、ディスプレイ１０（例えば陰極線管ディスプレイ或いは液晶ディスプレイ）の表面には電源ボタン１２と複数の調整ボタン１４が組付けられ、その内部にはマイクロプロセッサ１６及びメモリ１８が組付けられている。電源ボタン１２はディスプレイのオン／オフに用いられる。複数の調整ボタン１４はＯＳＤ（オンスクリーンディスプレイ）を呼び出してディスプレイ１０のフレーム表示時に参照するユーザー設定パラメータ（即ち部分ディスプレイパラメータ）、例えばフレーム輝度、フレームコントラスト、フレーム位置、フレームサイズ、水平走査周波数或いは垂直走査周波数を調整するのに用いられるユーザーインタフェースである。メモリ１８はディスプレイパラメータ（ユーザー設定パラメータと工場設定パラメータを包含する）及びファームウエアプログラムを保存する。マイクロプロセッサ１６はメモリ１８に保存されたファームウエアプログラムを読み取り並びにそれを実行し、並びにファームウエアプログラムの指示によりメモリ１８に保存されたディスプレイパラメータを読み取り、ディスプレイ１０の表示フレームを調整する。
【０００３】
このほか、ディスプレイ１０の表示効果を強化し、並びにユーザーが工場設定パラメータを強制的に変更するのを防止するため、ディスプレイ１０の製造メーカーはディスプレイ出荷前に、検査員によりディスプレイ１０の工場設定パラメータの調整を行ない、それは、予熱モードへの切り換え、エラー排除モードへの切り換え、サウンド装置の駆動の有無等を包含し、並びに上述のパラメータをメモリ１８中に保存する。しかし、検査員が工場設定パラメータをメモリ１８に保存した後、工場の検査装置を除いては工場設定パラメータの調整を行なうことができず、これは検査員がディスプレイ１０を修理する時の問題を形成した。
【発明の開示】
【発明が解決しようとする課題】
【０００４】
周知のディスプレイパラメータ調整上の問題に対して、本発明はディスプレイのディスプレイパラメータ調整方法を提供し、それは異なる調整ボタン１４を押すことにより、ユーザーＯＳＤインタフェース或いは工場ＯＳＤインタフェースを呼び出して、ディスプレイ１０のユーザー設定パラメータ或いは工場設定パラメータの調整を行なえ、調整ボタン１４を押すタイミングはディスプレイ１０起動時或いはディスプレイ１０運転中とされうる。
【課題を解決するための手段】
【０００５】
請求項１の発明は、ディスプレイのディスプレイパラメータ調整方法において、
（Ａ）初期化。
（Ｂ）工場ＯＳＤインタフェースを呼び出すかを判断し、不成立であれば（Ｄ）のステップを実行する。
（Ｃ）工場設定パラメータを調整し、並びにこの方法の実行を終了する。
（Ｄ）ユーザーＯＳＤインタフェースを呼び出してユーザー設定パラメータを調整する。
以上の（Ａ）から（Ｄ）のステップを具え、そのうち、ディスプレイパラメータは工場設定パラメータとユーザー設定パラメータを包含することを特徴とする、ディスプレイのディスプレイパラメータ調整方法としている。
請求項２の発明は、ディスプレイのディスプレイパラメータ調整方法において、
（Ａ）初期化。
（Ｂ）ユーザーＯＳＤインタフェースを呼び出す。
（Ｃ）工場ＯＳＤインタフェースを呼び出すかを判断し、不成立であれば（Ｅ）のステップを実行する。
（Ｄ）工場設定パラメータを調整し、並びにこの方法の実行を終了する。
（Ｅ）ユーザーＯＳＤインタフェースを調整する。
以上の（Ａ）から（Ｅ）のステップを具え、そのうち、ディスプレイパラメータは工場設定パラメータとユーザー設定パラメータを包含することを特徴とする、ディスプレイのディスプレイパラメータ調整方法としている。
【発明の効果】
【０００６】
本発明は周知のディスプレイパラメータ調整上の問題を解決するディスプレイのディスプレイパラメータ調整方法を提供し、それは異なる調整ボタン１４を押すことにより、ユーザーＯＳＤインタフェース或いは工場ＯＳＤインタフェースを呼び出して、ディスプレイ１０のユーザー設定パラメータ或いは工場設定パラメータの調整を行なえ、調整ボタン１４を押すタイミングはディスプレイ１０起動時或いはディスプレイ１０運転中とされうる。
【発明を実施するための最良の形態】
【０００７】
〔第１実施例〕
図２に示されるように、本発明のディスプレイのディスプレイパラメータ調整方法は以下のステップを具えている。
ステップＳ２０：初期化。電源ボタン１２が押された後、ディスプレイ１０が初期化のプロセスを実行する。
ステップＳ２２：工場ＯＳＤインタフェースを呼び出すかを判断し、もし不成立であればステップＳ２６を実行する。ユーザーはホットキーを押す事で工場ＯＳＤインタフェースに進入でき、例えば、少なくとも二つの調整ボタン１４を押すか、或いは電源ボタン１２及び調整ボタン１４を押す。或いはユーザーはパスワードを入力して工場ＯＳＤインタフェースに進入でき、例えばユーザーが調整ボタン１４を押す時にパスワード提示画面が出現し、ユーザーが正確なパスワードを入力しなければマイクロプロセッサ１６がユーザーＯＳＤインタフェースを呼び出し、正確なパスワードが入力されればマイクロプロセッサ１６が工場ＯＳＤインタフェースを呼び出す。
ステップＳ２４：工場設定パラメータを調整し並びにステップＳ２８を実行する。工場ＯＳＤインタフェースに進入後、ユーザー或いは検査員は工場設定パラメータの調整を行なえる。
ステップＳ２６：ユーザーＯＳＤインタフェースを呼び出してユーザー設定パラメータを調整する。ユーザーＯＳＤインタフェースに進入後、ユーザー或いは検査員はユーザー設定パラメータの調整を行なえる。
ステップＳ２８：終了。
【０００８】
〔第２実施例〕
図３に示されるように、本実施例のディスプレイのディスプレイパラメータ調整方法は以下のステップを具えている。
ステップＳ３０：初期化。電源ボタン１２が押された後、ディスプレイ１０が初期化のプロセスを実行する。
ステップＳ３２：ユーザーＯＳＤインタフェースを呼び出す。ユーザーが調整ボタン１４を押せばユーザーＯＳＤインタフェースが呼び出され、これによりユーザー或いは検査員が工場設定パラメータの調整を行なうことができる。
ステップＳ３４：工場ＯＳＤインタフェースを呼び出すかを判断し、もし不成立であればステップＳ３８を実行する。ユーザーはホットキーを押す事で工場ＯＳＤインタフェースに進入でき、例えば、少なくとも二つの調整ボタン１４を押すか、或いは電源ボタン１２及び調整ボタン１４を押す。或いはユーザーはパスワードを入力して工場ＯＳＤインタフェースに進入でき、例えばユーザーはそのうち一つの項目を選択して工場ＯＳＤインタフェースに進入し、例えば、ユーザーがユーザーＯＳＤインタフェース中の工場機能項目を選択し、並びにパスワード提示画面に進入し、ユーザーが正確なパスワードの入力すれば工場ＯＳＤインタフェースが呼び出される。
ステップＳ３６：工場設定パラメータを調整し並びにステップＳ４０を実行する。工場ＯＳＤインタフェースに進入後、ユーザー或いは検査員は工場設定パラメータの調整を行なえる。
ステップＳ３８：ユーザー設定パラメータを調整する。
ステップＳ４０：終了。
【０００９】
以上の実施例は本発明の範囲を限定するものではなく、以上の実施例及び図面の記載に基づきなしうる細部の修飾或いは改変は、いずれも本発明の請求範囲に属するものとする。
【図面の簡単な説明】
【００１０】
【図１】周知のディスプレイの表示図である。
【図２】本発明のディスプレイのディスプレイパラメータ調整方法の第１実施例のフローチャートである。
【図３】本発明のディスプレイのディスプレイパラメータ調整方法の第２実施例のフローチャートである。
【符号の説明】
【００１１】
１０  ディスプレイ                １２  電源ボタン
１４  調整ボタン                  １６  マイクロプロセッサ
１８  メモリ
【図１】
2006030943.tif 000003
【図２】
2006030943.tif 000004
【図３】
2006030943.tif 000005